(57)【要約】【課題】分版色の選択自由度を高めて、ユーザの嗜好に沿った分版色に対応する分版用画像データを生成することが可能な画像処理装置を提供する。【解決手段】    画像処理装置１は、原画像データに基づいて、複数の分版色を特定する特定部４２と、原画像データに基づいて、複数の分版色のそれぞれに対応する複数の分版用画像データを生成する生成部４３と、プレビュー画像を表示するプレビュー表示処理部４４と、複数の分版用画像データにおいて、一の分版用画像データを他の分版用画像データに統合可能か否かを判定する統合判定部４５と、他の分版用画像データをユーザに報知する報知処理部４６と、統合指示をユーザから受け付ける受付処理部４７と、受付処理部４７によって受け付けられた統合指示に応じて、一の分版用画像データを他の分版用画像データに統合する統合処理部４８とを備える。【選択図】  図１
2017098821.tif 000002
【特許請求の範囲】
【請求項１】
原画像を表す原画像データに基づいて、分版の生成に用いられる分版用画像データを生成する画像処理装置であって、
前記原画像データを構成する画素に割り当てられる色データに基づいて、複数の分版色を特定する特定部と、
前記原画像データに基づいて、前記複数の分版色のそれぞれに対応する複数の分版用画像データを生成する生成部と、
前記複数の分版用画像データによる印刷画像を表すプレビュー画像を表示するプレビュー表示処理部と、
前記複数の分版用画像データに含まれる一の分版用画像データごとに、前記一の分版用画像データを統合可能な他の分版用画像データがあるか否かを判定する統合判定部と、
前記他の分版用画像データがある場合、前記複数の分版用画像データに含まれる前記一の分版用画像データごとに、前記他の分版用画像データをユーザに報知する報知処理部と、
前記一の分版用画像データを前記他の分版用画像データに統合させる統合指示を、ユーザから受け付ける受付処理部と、
前記受付処理部によって受け付けられた前記統合指示に応じて、前記一の分版用画像データを前記他の分版用画像データに統合する統合処理部と
を備えることを特徴とする画像処理装置。
【請求項２】
前記報知処理部は、前記他の分版用画像データがない場合、前記他の分版用画像データがないことを前記ユーザに報知する
ことを特徴とする請求項１記載の画像処理装置。
【請求項３】
前記複数の分版色のそれぞれの統合可能な組み合わせを規定した組合せデータを記憶する記憶部を備え、
前記統合判定部は、前記記憶部に記憶される組合せデータに基づいて、前記一の分版用画像データを統合可能な前記他の分版用画像データがあるか否かを判定する
ことを特徴とする請求項１記載の画像処理装置。
【請求項４】
前記特定部は、前記原画像データを構成する画素に割り当てられる前記色データに基づいて、前記色データに対応する系統色を識別するとともに、識別した前記系統色のうち、面積値が所定閾値以上の系統色を前記分版色として特定する
ことを特徴とする請求項１記載の画像処理装置。
【請求項５】
前記一の分版用画像データが前記他の分版用画像データに統合された後、
前記報知処理部は、統合された前記一の分版用画像データ以外の分版用画像データごとに、統合可能な他の分版用画像データをユーザに報知し、
前記プレビュー表示処理部は、統合された前記一の分版用画像データ以外の前記分版用画像データによる印刷画像を表すプレビュー画像を表示する
ことを特徴とする請求項１記載の画像処理装置。
【発明の詳細な説明】
【技術分野】
【０００１】
本発明は、原画像を表す原画像データに基づいて、分版の生成に用いられる分版用画像データを生成する画像処理装置に関する。
【背景技術】
【０００２】
従来、スクリーン印刷では、原画像を表す原画像データに基づいて、ＲＧＢ色又はＣＭＹ色などの各色に対応した画像を印刷する分版（所謂、マスター）を作成し、作成した分版を用いて原画像を再現する。また、かかる分版を作成するために、原画像データを構成する画素に割り当てられる色データに基づいて、ＣＭＹ色や所定色などの分版色に対応した分版用画像データを生成する技術が適用されている（例えば、特許文献１参照）。
【０００３】
また、画素に割り当てられるＣＭＹ色などの３色以上の色データを、２色の分版色（例えば、赤と青）に統合し、統合した分版色に対応する分版用画像データを生成する技術も提案されている（例えば、特許文献２参照）。
【０００４】
このような技術を適用すれば、少ない分版でスクリーン印刷が可能になるため、スクリーン印刷において、分版枚数の増加に起因する印刷ズレなどの印刷品質の低下を抑制できる。
【先行技術文献】
【特許文献】
【０００５】
【特許文献１】特許３４８１３８４号公報
【特許文献２】実用新案登録第３１２２１５０号公報
【発明の概要】
【発明が解決しようとする課題】
【０００６】
しかしながら、従来技術では、ＣＭＹ色などの色データを統合した分版色（例えば、赤と青）に対応する分版用画像データを生成することが可能であるものの、かかる分版色は、予め規定された色であるため、ユーザの嗜好に沿った色であるとは限らなかった。このため、ユーザの嗜好に沿った色合いによるスクリーン印刷を行えないという問題があった。
【０００７】
本発明は、このような状況に鑑みてなされたもので、分版色の選択自由度を高めて、ユーザの嗜好に沿った分版色に対応する分版用画像データを生成することが可能な画像処理装置を提供することを目的とする。
【課題を解決するための手段】
【０００８】
上記目的を達成するため、本発明に係る画像処理装置の第１の特徴は、原画像を表す原画像データに基づいて、分版の生成に用いられる分版用画像データを生成する画像処理装置であって、前記原画像データを構成する画素に割り当てられる色データに基づいて、複数の分版色を特定する特定部と、前記原画像データに基づいて、前記複数の分版色のそれぞれに対応する複数の分版用画像データを生成する生成部と、前記複数の分版用画像データによる印刷画像を表すプレビュー画像を表示するプレビュー表示処理部と、前記複数の分版用画像データに含まれる一の分版用画像データごとに、前記一の分版用画像データを統合可能な他の分版用画像データがあるか否かを判定する統合判定部と、前記他の分版用画像データがある場合、前記複数の分版用画像データに含まれる前記一の分版用画像データごとに、前記他の分版用画像データをユーザに報知する報知処理部と、前記一の分版用画像データを前記他の分版用画像データに統合させる統合指示を、ユーザから受け付ける受付処理部と、前記受付処理部によって受け付けられた前記統合指示に応じて、前記分版用画像データを前記他の分版用画像データに統合する統合処理部とを備えることにある。
【０００９】
本発明に係る画像処理装置の第２の特徴は、上記特徴に係り、前記報知処理部は、前記他の分版用画像データがない場合、前記他の分版用画像データがないことを前記ユーザに報知することにある。
【００１０】
本発明に係る画像処理装置の第３の特徴は、上記特徴に係り、前記複数の分版色のそれぞれの統合可能な組み合わせを規定した組合せデータを記憶する記憶部を備え、前記統合判定部は、前記記憶部に記憶される組合せデータに基づいて、前記一の分版用画像データを統合可能な前記他の分版用画像データがあるか否かを判定することにある。
【００１１】
本発明に係る画像処理装置の第４の特徴は、上記特徴に係り、前記特定部は、前記原画像データを構成する画素に割り当てられる前記色データに基づいて、前記色データに対応する系統色を識別するとともに、識別した前記系統色のうち、面積値が所定閾値以上の系統色を前記分版色として特定することにある。
【００１２】
本発明に係る画像処理装置の第５の特徴は、上記特徴に係り、前記一の分版用画像データが前記他の分版用画像データに統合された後、前記報知処理部は、統合された前記一の分版用画像データ以外の分版用画像データごとに、統合可能な他の分版用画像データをユーザに報知し、前記プレビュー表示処理部は、統合された前記一の分版用画像データ以外の前記分版用画像データによる印刷画像を表すプレビュー画像を表示することにある。
【発明の効果】
【００１３】
本発明に係る画像処理装置の第１の特徴によれば、判定処理部が、複数の分版用画像データに含まれる一の分版用画像データごとに、一の分版用画像データを統合可能な他の分版用画像データがあるか否かを判定し、報知処理部が、複数の分版用画像データに含まれる一の分版用画像データごとに、統合可能な他の分版用画像データをユーザに報知する。そして、受付処理部が、一の分版用画像データを他の分版用画像データに統合させる統合指示をユーザから受け付け、統合処理部は、受付処理部によって受け付けられた統合指示に応じて、一の分版用画像データを他の分版用画像データに統合する。これにより、ユーザは、統合可能な分版用画像データの組を確認しながら、統合について指示できるため、統合可能な分版用画像データの組を統合させる又は統合させないといった選択自由度を高めるとともに、ユーザの嗜好に沿った分版色に対応する分版用画像データを生成することができる。
【００１４】
本発明に係る画像処理装置の第２の特徴によれば、報知処理部は、一の分版用画像データに統合可能な他の分版用画像データがない場合、他の分版用画像データがないことをユーザに報知する。これにより、分版用画像データの作成について処理知識の乏しいユーザでも、分版用画像データの統合の可否について判断しやすくなるため、取り扱いが容易になる。
【００１５】
本発明に係る画像処理装置の第３の特徴によれば、統合判定部は、記憶部に記憶される組合せデータに基づいて、一の分版用画像データを統合可能な他の分版用画像データがあるか否かを判定する。これにより、統合判定部は、予め規定した最適な分版色の組み合わせに基づいて、統合可能か否かをより正確に判定できる。また、例えば、赤系を好むユーザや、グレー系を好むユーザなど、ユーザの嗜好に沿った所望の組み合わせとなるようにユーザ別に組合せデータを規定しておくことで、よりユーザの嗜好に沿った分版色となるように、統合可能か否か判定することもできる。
【００１６】
本発明に係る画像処理装置の第４の特徴によれば、特定部は、面積値が所定閾値以上の系統色を分版色として特定するため、スクリーン印刷における主要な系統色によって分版色を特定できる。これにより、スクリーン印刷の印刷品質を確保しつつ、分版色を絞り込むことにより、分版色に対応する分版用画像データの数を減らすことができる。
【００１７】
本発明に係る画像処理装置の第５の特徴によれば、一の分版用画像データが他の分版用画像データに統合された後、報知処理部は、統合された一の分版用画像データ以外の分版用画像データごとに、統合可能な他の分版用画像データをユーザに報知する。これにより、一の分版用画像データが他の分版用画像データに統合された後も、統合可能な他の分版用画像データを継続してユーザに報知できる。従って、ユーザは、統合可能な分版用画像データの組を引き続き確認しながら、統合について指示できる。更に、一の分版用画像データが他の分版用画像データに統合された後、プレビュー表示処理部は、統合された分版用画像データ以外の分版用画像データによる印刷画像を表すプレビュー画像を表示する。これにより、ユーザは、一の分版用画像データが他の分版用画像データに統合された後も、プレビュー画像を確認しながら、引き続き統合について指示できる。
【図面の簡単な説明】
【００１８】
【図１】本発明の実施例１に係る画像処理装置の機能を説明するブロック構成図である。
【図２】本発明の実施例１に係る画像処理装置に記憶されるデータを説明するための説明図である。
【図３】本発明の実施例１に係る画像処理装置に記憶されるデータを説明するための説明図である。
【図４】本発明の実施例１に係る画像処理装置における処理手順を示したフローチャートである。
【図５】本発明の実施例１に係る画像処理装置における処理手順を示したフローチャートである。
【図６】本発明の実施例１に係る原画像を説明するための説明図である。
【図７】本発明の実施例１に係る画像処理装置における処理手順を示したフローチャートである。
【図８】本発明の実施例１に係る画像処理装置における処理手順を示したフローチャートである。
【図９】本発明の実施例１に係る画像処理装置に表示される表示画面を説明する説明図である。
【図１０】本発明の実施例１に係る画像処理装置における処理手順を示したフローチャートである。
【図１１】本発明の実施例１に係る画像処理装置に表示される表示画面を説明する説明図である。
【図１２】本発明の実施例１に係る画像処理装置に表示される表示画面を説明する説明図である。
【図１３】本発明の他の実施例に係る画像処理装置に表示される表示画面を説明する説明図である。
【発明を実施するための形態】
【００１９】
以下、本発明の実施例に係る画像処理装置について、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２０】
［実施例１］
本発明の実施例１に係る画像処理装置は、原画像を表す原画像データに基づいて、分版の生成に用いられる分版用画像データを生成する。なお、分版は、スクリーン印刷において各分版色に対応する画像を印刷するために用いられる。
【００２１】
＜画像処理装置の構成＞
図１は、本発明の実施例１に係る画像処理装置１の構成を説明するブロック構成図である。本発明の実施例１に係る画像処理装置１として、パーソナルコンピュータなどの演算処理装置を適用できる。
【００２２】
画像処理装置１は、通信部１０と、ディスプレイ部２０と、操作部３０と、制御部４０と、記憶部５０とを備える。画像処理装置１に備えられる各部は、バス３を介して、互いに各種データを通信可能に構成される。
【００２３】
通信部１０は、外部端末及び外部サーバなどの外部装置との間で通信する。通信部１０は、インターネット及びローカルエリアネットワークなどのネットワークに接続され、当該ネットワークを介して、外部装置との間で各種データを送受信する。例えば、通信部１０は、外部装置から原画像を表す原画像データを受信すると、原画像データを記憶部５０に記憶する。
【００２４】
ディスプレイ部２０は、制御部４０の制御により各種画像を表示する。
【００２５】
操作部３０は、キーボードとマウスとを有する（いずれも不図示）。操作部３０は、キーボードとマウスとを用いてユーザによって入力された入力データを制御部４０に送信する。
【００２６】
制御部４０は、ＣＰＵ及びＣＰＵを動作させるためのプログラムを格納したプログラムＲＯＭ等を備えている。制御部４０は、ＣＰＵを動作させることによって、画像処理装置１内の各種機能を統括制御する。また、制御部４０は、原画像データに基づいて、分版用画像データを生成する。
【００２７】
制御部４０は、取得部４１と、特定部４２と、生成部４３と、プレビュー表示処理部４４と、統合判定部４５と、報知処理部４６と、受付処理部４７と、統合処理部４８とを備える。
【００２８】
取得部４１は、原画像データ等の制御部４０で実行される処理に用いられる各種データを取得する。
【００２９】
特定部４２は、原画像データを構成する画素に割り当てられる色データに基づいて、複数の分版色を特定する。具体的に、特定部４２は、原画像データを構成する画素に割り当てられる色データに基づいて、色データに対応する系統色を識別するとともに、識別した系統色のうち、面積値が所定閾値以上の系統色を分版色として特定する。
【００３０】
ここで、色データとは、画素の色を表現するデータである。例えば、ＲＧＢ色空間座標を用いる場合、赤色を表現する色データは、ＲＧＢ値によって、（Ｒ，Ｇ，Ｂ）＝（２５５，０，０）と示すことや、（Ｒ，Ｇ，Ｂ）＝（１，０，０）と示すことが可能である。また、分版色とは、複数の分版を用いたスクリーン印刷によって原画像を印刷する際に、複数の分版のそれぞれに用いられる色である。
【００３１】
生成部４３は、原画像データに基づいて、複数の分版色のそれぞれに対応する複数の分版用画像データを生成する。分版用画像データとは、分版を生成するために用いられるデータである。分版用画像データは、分版に用いられる分版色による画像を示す画像データである。分版用画像データは、画像を構成する画素の位置を示す画素データと、画素データに対応する色を示す色データを含む。
【００３２】
プレビュー表示処理部４４は、複数の分版用画像データによる印刷画像を表すプレビュー画像を表示する。具体的に、プレビュー表示処理部４４は、複数の分版用画像データによってスクリーン印刷が行われる際の印刷画像を表すプレビュー画像をディスプレイ部２０に表示する。
【００３３】
統合判定部４５は、複数の分版用画像データに含まれる一の分版用画像データごとに、一の分版用画像データを統合可能な他の分版用画像データがあるか否かを判定する。具体的に、統合判定部４５は、記憶部５０に記憶される組合せデータに基づいて、一の分版用画像データを統合可能な他の分版用画像データがあるか否かを判定する。なお、組合せデータの詳細は、後述する（図３参照）。
【００３４】
報知処理部４６は、複数の分版用画像データに含まれる一の分版用画像データごとに、統合可能な他の分版用画像データをユーザに報知する。一方、報知処理部４６は、分版用画像データに統合可能な他の分版用画像データがない場合、他の分版用画像データがないことをユーザに報知する。
【００３５】
受付処理部４７は、一の分版用画像データを他の分版用画像データに統合させる統合指示を、ユーザから受け付ける。具体的に、受付処理部４７は、操作部３０に入力された入力データに含まれる統合指示データを受信すると、受信した統合指示データをユーザからの統合指示として受け付ける。
【００３６】
統合処理部４８は、受付処理部４７によって受け付けられた統合指示に応じて、一の分版用画像データを他の分版用画像データに統合する。
【００３７】
記憶部５０は、ハードディスクによって構成される。記憶部５０は、画像処理装置１内の各種機能によって用いられるデータを記憶する。記憶部５０に記憶されるデータは、制御部４０によって参照される。
【００３８】
記憶部５０は、系統色を識別するために用いられる系統色識別データを記憶する。
【００３９】
ここで、図２には、系統色識別データを示す説明図が示されている。図２に示すように、本実施形態に係る系統色識別データは、分類と系統色と判定式とが関連づけられたデータテーブルである。
【００４０】
分類は、系統色の分類を示す。本実施形態では、“無彩色”、“１次色”、“２次色”が規定される。
【００４１】
系統色は、分版色になりうる所定種類の色を示す。本実施形態では、“黒系（Ｋ系）”、“黄色系（Ｙ系）”、“マゼンタ系（Ｍ系）”、“シアン系（Ｃ系）”、“赤系（Ｒ系）”、“緑系（Ｇ系）”、“青系（Ｂ系）”の７つの系統色が規定される。
【００４２】
判定式は、系統色に属するための条件を示す。判定式は、“Ｒ”、“Ｇ”、“Ｂ”、“ＭＡＸ”、“ＭＩＮ”、“ａｂｓ”“ＴＨ０１〜２３”を含む。
【００４３】
“Ｒ”、“Ｇ”、“Ｂ”のそれぞれは、色データであるＲＧＢ値（Ｒ，Ｇ，Ｂ）において、Ｒ値、Ｇ値、Ｂ値のそれぞれの値を示す。“ＭＡＸ”は、色データであるＲＧＢ値（Ｒ，Ｇ，Ｂ）において、Ｒ値とＧ値とＢ値との中の最も大きい値を示す。“ＭＩＮ”は、色データであるＲＧＢ値において、Ｒ値とＧ値とＢ値との中の最も小さい値を示す。“ａｂｓ”は、絶対値を示す。“ＴＨ０１〜２３”は、予め規定された閾値である。
【００４４】
記憶部５０に記憶される系統色識別データは、特定部４２によって参照される。なお、閾値“ＴＨ０１〜２３”を変更することにより、各系統色の色合いが変化する。よって、閾値“ＴＨ０１〜２３”は、ユーザの嗜好に応じて任意に変更するよう構成されてもよい。
【００４５】
また、記憶部５０は、複数の分版色のそれぞれの統合可能な組み合わせを規定した組合せデータを記憶する。
【００４６】
図３は、組合せデータを示す説明図である。図３に示すように、本実施形態に係る組合せデータは、分類と系統色と補間可能色とが関連づけられたデータデーブルである。
【００４７】
分類及び系統色は、上述した系統色識別データに含まれるものと同様である。補間可能色は、系統色を補間することにより統合可能な他の系統色である。
【００４８】
組合せデータでは、系統色と補間可能色とが関連づけられることによって、複数の分版色のそれぞれの統合可能な組合せが規定されている。なお、系統色識別データにおいて、系統色は、分版色とも換言でき、補間可能色は、分版色（系統色）が補間可能な分版色であるとも換言できる。
【００４９】
＜画像処理装置の動作＞
次に、本発明の実施例１に係る画像処理装置１の動作について説明する。ここで、図４には、本発明の実施例１に係る画像処理装置１の概略動作を示すフローチャートが示されている。
【００５０】
図４に示すように、ステップＳ１０において、画像処理装置１では、制御部４０が、原画像データを取得すると、原画像データに含まれる色データに基づいて複数の分版色を特定する特定処理を実行する。
【００５１】
ステップＳ２０において、制御部４０は、特定処理によって特定された複数の分版色に対応する複数の分版用画像データを生成する生成処理を実行する。
【００５２】
ステップＳ３０において、制御部４０は、複数の分版用画像データに統合可能な分版用画像データが含まれているか否かを判定する判定処理を実行する。なお、統合可能な分版用画像データが含まれていない場合（ステップＳ３０；“ＮＯ”）、制御部４０は、処理を終了する。
【００５３】
ステップＳ４０において、制御部４０は、統合可能な分版用画像データが含まれている場合（ステップＳ３０；“ＹＥＳ”）、ユーザから統合指示を受け付けて、分版用画像データを統合する統合処理を実行する。
【００５４】
ステップＳ５０において、制御部４０は、統合処理が完了したか否かを判定し、完了していない場合（ステップＳ５０；“ＮＯ”）、ステップＳ４０の処理を繰り返す。一方で、制御部４０は、統合処理が完了した場合には（ステップＳ５０；“ＹＥＳ”）、処理を終了する。例えば、ユーザが操作部３０を用いて完了を示す入力を行った場合、制御部４０は、統合処理が完了したと判定して、処理を終了する。
【００５５】
次に、ステップＳ１０で実行する分版色の特定処理について具体的に説明する。図５は、分版色の特定処理の動作を示すフローチャートである。
【００５６】
まず、ステップＳ１１において、制御部４０では、取得部４１が、原画像データを取得すると、特定部４２は、原画像データに含まれる画像を表す画像部品データの一つを対象の画像部品データとして特定する。そして、特定部４２は、特定した対象の画像部品データの種類が、“文字”、“図形”、“ビットマップ”のいずれかであるかを判定する。
【００５７】
ここで、図６には、原画像データの一例が示されている。図６に示されるように、原画像データには、“文字”を示す画像部品データＤ１と、“図形”を示す画像部品データＤ２〜Ｄ３と、“ビットマップ”を示す画像部品データＤ４〜Ｄ５とが含まれている。
【００５８】
また、“文字”を示す画像部品データＤ１は、一般的に１種類の系統色により構成される。一方、“図形”を示す画像部品データＤ２〜Ｄ３は、１種類の系統色により構成される画像部品データＤ２と、２種類以上の系統色により構成される画像部品データＤ３とがある。同様に、“ビットマップ”を示す画像部品データＤ４〜Ｄ５も、１つの系統色により構成される画像部品データＤ４と、２種類以上の系統色により構成される画像部品データＤ５とがある。
【００５９】
ステップＳ１１において、特定部４２は、画像部品データの種類が、“文字”を示す画像部品データＤ１である場合、１種類の系統色により構成される画像部品データであると判定して、ステップＳ１３の処理を行う。一方、特定部４２は、画像部品データの種類が“図形”又は“ビットマップ”を示す画像部品データＤ２〜４であると判定した場合、ステップＳ１２の処理を行う。
【００６０】
ステップＳ１２において、特定部４２は、対象の画像部品データの種類が“図形”又は“ビットマップ”を示す画像部品データＤ２〜４であると判定した場合、対象の画像部品データが、１種類の系統色であるか、又は、２種類以上の系統色であるかを判定する。
【００６１】
具体的に、特定部４２は、“図形”又は“ビットマップ”を示す画像部品データＤ２〜Ｄ４を構成する各画素の色データを抽出する。特定部４２は、記憶部５０に記憶される系統色識別データを参照して、抽出した各画素の色データに該当する系統色を識別する。この結果、特定部４２は、１種類の系統色が識別された場合、“図形”を示す画像部品データＤ２（又は、“ビットマップ”を示す画像部品データＤ４）は、１種類の系統色であると判定する。一方で、特定部４２は、２種類の系統色が識別された場合、“図形”を示す画像部品データＤ３（又は、“ビットマップ”を示す画像部品データＤ５）は、２種類の系統色であると判定する。
【００６２】
上述のように、ステップＳ１１〜Ｓ１２において、特定部４２は、対象の画像部品データが１種類の系統色により構成されるものと、２種類以上の系統色により構成されるものとを区別する。
【００６３】
そして、ステップＳ１３において、特定部４２は、１種類の系統色により構成される画像部品データのみに基づいて、系統色を識別する。具体的に、特定部４２は、対象の画像部品データの種類が１種類の系統色である“文字”を示す画像部品データＤ１である場合（ステップＳ１１；“文字”）、及び、１種類の系統色である“図形”又は“ビットマップ”を示す画像部品データＤ２又はＤ４である場合（ステップＳ１２；“１種類”）、対象の画像部品データを構成する色データがいずれの系統色に分類されるか識別する。
【００６４】
具体的に、特定部４２は、対象の画像部品データを構成する各画素の色データを抽出する。そして、特定部４２は、記憶部５０に記憶される系統色識別データを参照するとともに、系統色識別データに含まれる複数の系統色のうち、抽出した各画素の色データが満たされる判定式に対応する系統色を識別する。このとき、特定部４２は、優先度の高い系統色を優先して、識別する。
【００６５】
具体的に、本実施形態では、“黒系（Ｋ系）”、“黄色系（Ｙ系）”、“マゼンタ系（Ｍ系）”、“シアン系（Ｃ系）”、“赤系（Ｒ系）”、“緑系（Ｇ系）”、“青系（Ｂ系）”の順で優先度の高い順番が規定されている。すなわち、“黒系（Ｋ系）”の優先度が最も高く、“青系（Ｂ系）”の優先度が最も低い。特定部４２は、優先度の高い“黒系（Ｋ系）”から、順番に、色データが分類される系統色を識別する。これにより、色データに該当する系統色が複数識別されてしまうことを防止できる。
【００６６】
ステップＳ１４において、特定部４２は、識別した系統色に対応する面積値を算出する。具体的に、特定部４２は、識別した系統色の画素数を算出して、系統色と系統色に対応する画素数とを関連づけて記憶部５０に記憶する。なお、特定部４２は、識別した系統色と画素数とが既に記憶部５０に記憶されていた場合、記憶される画素数に加算することで、積算する。
【００６７】
ステップＳ１５において、特定部４２は、原画像データに含まれる全ての画像部品データに対してステップＳ１１〜１４の処理を行ったか否かを判定する。特定部４２は、全ての画像部品データに対してステップＳ１１〜１４の処理を行っていない場合（ステップＳ１５；“ＮＯ”）、ステップＳ１１の処理を行う。
【００６８】
ステップＳ１６において、特定部４２は、全ての画像部品データに対してステップＳ１１〜１４の処理を行った場合（ステップＳ１５；“ＹＥＳ”）、算出した面積値が所定閾値以上の系統色を、分版用画像データを作成する際に対象となる分版色として特定する。
【００６９】
例えば、算出した面積値が“黒系の面積値：１０００”、“赤系の面積値：５００”、“青系の面積値：１００”、“マゼンタ系の面積値：２５”であり、所定閾値が“５０”である場合、“黒系”、“赤系”、“青系”を分版色として特定し、“マゼンタ系”を分版色から除外する。
【００７０】
以上のようにして、特定部４２は、原画像データを構成する画素に割り当てられる色データに基づいて、複数の分版色を特定する。すなわち、特定部４２は、原画像データを構成する画素に割り当てられる色データに基づいて、色データに対応する系統色を識別し、識別した系統色のうち、面積値が所定閾値以上の系統色を分版色として特定する。
【００７１】
次に、ステップＳ２０で実行する分版用画像データの生成処理について具体的に説明する。分版用画像データの生成処理では、制御部４０の生成部４３が、原画像データに基づいて、複数の分版色のそれぞれに対応する複数の分版用画像データを生成する。具体的に、生成部４３は、原画像データに含まれる画像部品データを一つずつ特定しながら、分版色に対応する分版用画像データを生成する。
【００７２】
図７は、分版用画像データの生成処理の動作を示すフローチャートである。なお、ステップＳ２１〜Ｓ２２において生成部４３が実行する動作は、上述したステップＳ１１〜Ｓ１２において特定部４２が実行する動作と同様であるため、ここでは説明を省略する。
【００７３】
ステップＳ２３において、生成部４３は、対象の画像部品データの種類が１種類の系統色である“文字”を示す画像部品データＤ１である場合（ステップＳ２１；“文字”）、及び、１種類の系統色である“図形”又は“ビットマップ”を示す画像部品データＤ２又はＤ４である場合（ステップＳ２２；“１種類”）、対象の画像部品データの系統色を１種類の分版色に変換する。具体的に、生成部４３は、対象の画像部品データの系統色を、特定処理によって特定された複数の分版色のいずれかに変換する。
【００７４】
ステップＳ２４において、生成部４３は、対象の画像部品データの系統色の種類が２種類以上である“図形”又は“ビットマップ”を示す画像部品データＤ３又はＤ５である場合（ステップＳ２２；“２種類以上”）、対象の画像部品データの色データを２種類以上の分版色に変換する。
【００７５】
ここで、対象の画像部品データの色データを２種類以上の分版色に変換する処理には、従来の処理手法を適用できる。例えば、実用新案登録第３１２２１５０号公報に開示される処理手法を適用して、２種類以上の分版色に変換してもよい。
【００７６】
ステップＳ２５において、生成部４３は、全ての画素の色データを複数の分版色に変換した結果に基づいて、複数の分版色のそれぞれに対応する分版用画像データを生成する。
【００７７】
ステップＳ２６において、生成部４３は、原画像データに含まれる全ての画像部品データに対してステップＳ２１〜２５の処理を行ったか否かを判定する。生成部４３は、全ての画像部品データに対してステップＳ２１〜２５の処理を行っていない場合（ステップＳ２６；“ＮＯ”）、ステップＳ２１の処理を行う。
【００７８】
ステップＳ２７において、生成部４３は、全ての画像部品データに対してステップＳ２１〜２６の処理を行った場合（ステップＳ２６；“ＹＥＳ”）、複数の分版色のそれぞれに対応する分版用画像データを記憶部５０に記憶して、生成処理を終了する。
【００７９】
次に、ステップＳ３０で実行する統合判定処理について具体的に説明する。統合判定処理では、制御部４０の統合判定部４５が、複数の分版用画像データにおいて、一の分版用画像データを他の分版用画像データに統合可能か否かを判定する。また、報知処理部４６が、判定結果をユーザに報知する。
【００８０】
図８は、分版用画像データの統合判定処理の動作を示すフローチャートである。
【００８１】
ステップＳ３１において、統合判定部４５は、記憶部５０に記憶される複数の分版用画像データの中から、一の分版用画像データを特定する。統合判定部４５は、記憶部５０に記憶される組合せデータを参照して、特定した一の分版用画像データを他の分版用画像データに統合可能か否かを判定する。
【００８２】
なお、統合判定部４５は、一の分版用画像データを、２つ以上の他の分版用画像データに統合可能であると判定する場合もある。例えば、黄色系分版色（Ｙ系）に対応する分版用画像データは、赤系分版色（Ｒ系）と緑系分版色（Ｇ系）とが補間可能色である（図３参照）。この場合、統合判定部４５は、赤系分版色（Ｒ系）と緑系分版色（Ｇ系）とに対応する２つの他の分版用画像データに対して、一の分版用画像データを分散させることで統合可能であると判定する。
【００８３】
ステップＳ３２において、報知処理部４６は、統合判定部４５によって一の分版用画像データを統合可能な他の分版用画像データがあると判定された場合、複数の分版用画像データに含まれる一の分版用画像データごとに、統合可能な他の分版用画像データをユーザに報知する（ステップＳ３１；“ＹＥＳ”）。一方で、ステップＳ３３において、報知処理部４６は、一の分版用画像データを統合可能な他の分版用画像データがないと判定された場合、統合可能な他の分版用画像データがないことをユーザに報知する（ステップＳ３１；“ＮＯ”）。
【００８４】
具体的に、報知処理部４６は、ステップＳ３１〜Ｓ３２において、ディスプレイ部２０に所定の表示画面を表示することにより、ユーザに報知する。
【００８５】
ここで、図９には、４つの分版用画像データＡ１〜Ａ４が特定された場合に、報知処理部４６がディスプレイ部２０に表示する所定の表示画面の一例が示されている。
【００８６】
図９に示すように、所定の表示画面には、複数の分版用画像データＡ１〜Ａ４のサムネイルＸ１〜Ｘ４と、複数の分版用画像データＡ１〜Ａ４の統合可能な統合先候補Ｗ１〜Ｗ４と、複数の分版用画像データＡ１〜Ａ４による印刷画像を表すプレビュー画像ＸＡと、ユーザによって入力される統合ボタンＹ１〜Ｙ４と、ユーザによって入力されるＯＫボタンＺ１及びキャンセルボタンＺ２とを表示する領域が含まれている。
【００８７】
報知処理部４６は、ステップＳ３２において、図９に示すように、分版用画像データＡ１の統合可能な統合先候補Ｗ１に“分版用画像データＡ４”を表示する。これにより、一の分版用画像データＡ１を統合可能な他の分版用画像データＡ４があることをユーザに報知する。
【００８８】
一方、報知処理部４６は、ステップＳ３３において、分版用画像データＡ２の統合可能な統合先候補Ｗ２に“なし”を表示する。これにより、一の分版用画像データＡ２を統合可能な他の分版用画像データＡ１及びＡ３〜Ａ４がないことをユーザに報知する。
【００８９】
ステップＳ３４において、統合判定部４５は、全ての分版用画像データに対して、ステップＳ３１〜３３の処理を行ったか否かを判定する。統合判定部４５は、全ての分版用画像データに対してステップＳ３１〜３３の処理を行っていない場合（ステップＳ３４；“ＮＯ”）、ステップＳ３１の処理を行う。一方、統合判定部４５は、全ての分版用画像データに対してステップＳ３１〜３３の処理を行った場合（ステップＳ３４；“ＹＥＳ”）、統合判定処理を終了する。
【００９０】
次に、ステップＳ４０で実行する分版用画像データの統合処理について具体的に説明する。統合処理では、制御部４０の統合処理部４８が、受付処理部４７によって受け付けられた統合指示に応じて、一の分版用画像データを他の分版用画像データに統合する。
【００９１】
図１０は、分版用画像データの統合処理の動作を示すフローチャートである。
【００９２】
ステップＳ４１において、図９に示す所定の表示画面が表示されると、受付処理部４７は、一の分版用画像データを他の分版用画像データに統合させる統合指示を、ユーザから受け付けを開始するとともに、統合指示を受け付けたか否かを判定する。
【００９３】
具体的に、受付処理部４７は、ユーザが操作部３０を用いて統合ボタンＹ１〜Ｙ４を押下することによって送信された統合指示データを受信したか否かを判定する。すなわち、受付処理部４７は、統合指示データを受信したか否かを判定することで、統合指示を受け付けたか否かを判定する。
【００９４】
ステップＳ４２において、受付処理部４７によって統合指示が受け付けられた場合（ステップＳ４４；“ＹＥＳ”）、統合処理部４８は、統合先となる他の分版用画像データの数が１つか又は２つ以上かを判定する。
【００９５】
ステップＳ４３において、統合処理部４８は、一の分版用画像データの統合先となる他の分版用画像データの数が１つの場合、一の分版用画像データを一の他の分版用画像データに統合する。例えば、図９に示す所定の表示画面において、ユーザによって統合ボタンＹ３が入力された場合、分版用画像データＡ３を分版用画像データＡ２に統合する。この場合、図１１に示すように、所定の表示画面では、分版用画像データＡ３のサムネイルＸ３が消えて、統合先の分版用画像データＡ２が更新されてサムネイルＸ２３が表示される。
【００９６】
また、ステップＳ４３において、報知処理部４６は、一の分版用画像データＡ３が他の分版用画像データＡ２に統合された後、統合された一の分版用画像データＡ３以外の分版用画像データＡ１〜Ａ２及びＡ４ごとに、統合可能な他の分版用画像データをユーザに報知する。
【００９７】
具体的に、報知処理部４６は、図１１に示すように、分版用画像データＡ１の統合可能な統合先候補Ｗ１に“分版用画像データＡ４”を表示し、分版用画像データＡ４の統合可能な統合先候補Ｗ４に“分版用画像データＡ１＋Ａ２”を表示する。これにより、一の分版用画像データＡ１を統合可能な他の分版用画像データＡ４があることや、一の分版用画像データＡ４を統合可能な他の分版用画像データＡ１及びＡ２があることを引き続きユーザに報知する。
【００９８】
また、プレビュー表示処理部４４は、分版用画像データＡ１〜Ａ２及びＡ４の更新に伴って、プレビュー画像ＸＡもプレビュー画像ＸＢに更新する。具体的に、図１１に示すように、プレビュー表示処理部４４は、一の分版用画像データＡ３が他の分版用画像データＡ２に統合された後、統合された一の分版用画像データＡ３以外の分版用画像データＡ１〜Ａ２及びＡ４による印刷画像を表すプレビュー画像ＸＢを表示する。
【００９９】
一方、ステップＳ４４において、統合処理部４８は、一の分版用画像データの統合先となる他の分版用画像データの数が２つ以上の場合、一の分版用画像データを２つ以上の他の分版用画像データに統合する。例えば、図１１に示す所定の表示画面において、ユーザによって統合ボタンＹ４が入力された場合、分版用画像データＡ４を分版用画像データＡ１及びＡ２に統合する。
【０１００】
ここで、統合処理部４８は、一の分版用画像データＡ４を２つ以上の他の分版用画像データＡ１及びＡ２に統合する際、一の分版用画像データＡ４を構成する各画素の色データを、他の分版用画像データＡ１及びＡ２を構成する各画素の色データ用に変換する。なお、統合処理部４８が一の分版用画像データＡ４を構成する各画素の色データを変換する処理は、従来の処理手法を適用できる。例えば、実用新案登録第３１２２１５０号公報に開示される処理手法を適用してもよい。また、統合処理部４８は、変換した色データを２つ以上の他の分版用画像データＡ１及びＡ２に追加する。これにより、統合先の分版用画像データＡ１及びＡ２が更新される。
【０１０１】
そして、図１２に示すように、所定の表示画面では、分版用画像データＡ４のサムネイルＸ４が消えるとともに、統合先の分版用画像データＡ１及びＡ２が更新されてサムネイルＸ１４及びＸ２３４が表示される。また、プレビュー表示処理部４４は、分版用画像データＡ１〜Ａ２の更新に伴って、プレビュー画像ＸＢもプレビュー画像ＸＣに更新する。具体的に、プレビュー表示処理部４４は、一の分版用画像データＡ４が２つの他の分版用画像データＡ１及びＡ２に統合された後、統合された一の分版用画像データＡ４以外の分版用画像データＡ１及びＡ２による印刷画像を表すプレビュー画像ＸＣを表示する。
【０１０２】
このように、統合処理部４８は、ステップＳ４２〜４４の処理を行うことで、統合指示に応じて、一の分版用画像データを他の分版用画像データに統合する。なお、上述のステップＳ４１〜４４の処理の後、例えば、図１２に示す所定の表示画面において、ユーザによって“ＯＫボタン”Ｚ１が入力されると、動作を完了する（図４に示すステップＳ５０；“ＹＥＳ”）。
【０１０３】
以上のように、本発明の実施例１に係る画像処理装置１によれば、統合判定部４５が、複数の分版用画像データＡ１〜Ａ４に含まれる一の分版用画像データごとに、一の分版用画像データを統合可能な他の分版用画像データがあるか否かを判定する。また、統合可能な他の分版用画像データがある場合に、報知処理部４６が、複数の分版用画像データＡ１〜Ａ４に含まれる一の分版用画像データごとに、統合可能な他の分版用画像データをディスプレイ部２０に表示して、ユーザに報知する。
【０１０４】
また、受付処理部４７が、一の分版用画像データ（例えば、分版用画像データＡ３）を他の分版用画像データ（例えば、分版用画像データＡ２）に統合させる統合指示をユーザから受け付ける。そして、統合処理部４８は、受付処理部４７によって受け付けられた統合指示に応じて、一の分版用画像データ（例えば、分版用画像データＡ３）を他の分版用画像データ（例えば、分版用画像データＡ３）に統合する。
【０１０５】
これにより、ユーザは、統合可能な分版用画像データの組を確認しながら、分版用画像データの統合について指示できるため、統合可能な分版用画像データの組を統合させる又は統合させないといった選択自由度を高めるとともに、ユーザの嗜好に沿った分版色に対応する分版用画像データを生成することができる。
【０１０６】
また、本発明の実施例１に係る画像処理装置１によれば、プレビュー表示処理部４４が、複数の分版用画像データ（例えば、分版用画像データＡ１〜Ａ４）によるプレビュー画像（例えば、プレビュー画像ＸＡ）を表示する。これにより、ユーザは、プレビュー画像による印刷画像を確認しながら、分版用画像データの統合について指示できるため、ユーザの嗜好に沿った分版色に対応する分版用画像データを生成することができる。
【０１０７】
本発明の実施例１に係る画像処理装置１によれば、報知処理部４６は、一の分版用画像データ（例えば、分版用画像データＡ２）に統合可能な他の分版用画像データ（例えば、分版用画像データＡ１、Ａ３〜４）がない場合には、統合可能な他の分版用画像データがないことを報知する。これにより、分版用画像データの作成について処理知識の乏しいユーザでも、分版用画像データの統合の可否について判断しやすくなるため、取り扱いが容易になる。
【０１０８】
本発明の実施例１に係る画像処理装置１によれば、統合判定部４５は、記憶部５０に記憶される組合せデータに基づいて、一の分版用画像データを統合可能な他の分版用画像データがあるか否かを判定する。これにより、統合判定部４５は、予め規定した最適な分版色の組み合わせに基づいて、統合可能か否かをより正確に判定できる。また、例えば、赤系を好むユーザや、グレー系を好むユーザなど、ユーザの嗜好に沿った所望の組み合わせとなるようにユーザ別に組合せデータを規定しておくことで、よりユーザの嗜好に沿った分版色となるように、統合可能か否か判定することもできる。
【０１０９】
本発明の実施例１に係る画像処理装置１によれば、特定部４２は、画素値によって示される面積値が所定閾値以上の系統色を分版色として特定するため、スクリーン印刷における主要な系統色によって分版色を特定できる。これにより、スクリーン印刷の印刷品質を確保しつつ、分版色を絞り込ことにより分版色に対応する分版用画像データの数を減らすことができる。
【０１１０】
本発明の実施例１に係る画像処理装置１によれば、報知処理部４６は、一の分版用画像データ（例えば、分版用画像データＡ３）が他の分版用画像データ（例えば、分版用画像データＡ２）に統合された後、統合された一の分版用画像データ（例えば、分版用画像データＡ３）以外の分版用画像データ（例えば、分版用画像データＡ１〜２、Ａ４）ごとに、統合可能な他の分版用画像データをユーザに報知する。これにより、一の分版用画像データが他の分版用画像データに統合された後も、統合可能な他の分版用画像データを継続してユーザに報知できる。従って、ユーザは、統合可能な分版用画像データの組を引き続き確認しながら、統合について指示できる。
【０１１１】
本発明の実施例１に係る画像処理装置１によれば、プレビュー表示処理部４４は、一の分版用画像データ（例えば、分版用画像データＡ３）が他の分版用画像データ（例えば、分版用画像データＡ２）に統合された後、統合された分版用画像データ（例えば、分版用画像データＡ３）以外の分版用画像データ（例えば、分版用画像データＡ１〜２、Ａ４）による印刷画像を表すプレビュー画像を表示する。これにより、一の分版用画像データが他の分版用画像データに統合された後も、引き続きプレビュー画像を表示できるため、ユーザは、プレビュー画像を確認しながら、引き続き統合について指示できる。
【０１１２】
［本発明のその他の実施例］
以上、上述の実施例を用いて本発明について詳細に説明したが、当業者にとっては、本発明が本明細書中に説明した実施例に限定されるものではないということは明らかである。
【０１１３】
例えば、上述した実施例では、統合処理部４８は、ステップＳ４３及びＳ４４において、一の分版用画像データを１つ又は２つ以上の他の分版用画像データに統合していたが、これに限定されない。統合処理部４８は、一の分版用画像データの一部のみを他の分版用画像データに統合してもよい。ここで、図１３には、他の実施例に係る所定の表示画面の一例が示されている。図１３に示すように、ユーザが操作部３０を用いて、一の分版用画像データの一部Ｍを示す領域を選択して統合ボタンＹ３を入力した場合、統合処理部４８は、一部Ｍのみを他の分版用画像データＡ２に統合してもよい。この場合、統合処理部４８は、一部Ｍを除く領域の画像を分版用画像データＡ３として記憶する。
【０１１４】
これにより、ユーザは、統合可能な分版用画像データの一部Ｍのみを他の分版用画像データに統合するように指示できるため、統合範囲についても選択自由度を高めることができるとともに、ユーザの嗜好に沿った分版用画像データを生成することができる。
【０１１５】
また、上述した実施例では、報知処理部４６は、ステップＳ３２において、分版用画像データの統合可能な統合先候補があることをディスプレイ部２０に表示することによって、統合可能であることをユーザに報知していたが、これに限定されない。例えば、報知処理部４６は、音声などの音を出力することで、統合可能であることをユーザに報知してもよい。なお、報知処理部４６は、ステップＳ３３において、分版用画像データの統合可能な統合先候補がない場合も、同様に、声などの音を出力することで、統合可能でないことをユーザに報知してもよい。
【０１１６】
また、上述した実施例では、特定部４２は、ステップＳ１１〜Ｓ１２において、原画像データに含まれる画像部品データに基づいて、複数の系統色を識別していたが、これに限定されない。特定部４２は、原画像データを一つのビットマップとして読み込んで、分版色の特定処理を実行してもよい。この場合、特定部４２は、ステップＳ１１〜Ｓ１２を必ずしも実行しなくてもよい。具体的に、特定部４２は、ステップＳ１３において、ビットマップである原画像データを構成する画素に割り当てられる色データを抽出し、系統色識別データに含まれる複数の系統色のうち、抽出した各画素の色データが満たされる判定式に対応する系統色を識別してもよい。
【０１１７】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１１８】
１…画像処理装置
１０…通信部
２０…ディスプレイ部
３０…操作部
４０…制御部
４１…取得部
４２…特定部
４３…生成部
４４…プレビュー表示処理部
４５…統合判定部
４６…報知処理部
４７…受付処理部
４８…統合処理部
５０…記憶部
【図１】
2017098821.tif 000003
【図２】
2017098821.tif 000004
【図３】
2017098821.tif 000005
【図４】
2017098821.tif 000006
【図５】
2017098821.tif 000007
【図６】
2017098821.tif 000008
【図７】
2017098821.tif 000009
【図８】
2017098821.tif 000010
【図９】
2017098821.tif 000011
【図１０】
2017098821.tif 000012
【図１１】
2017098821.tif 000013
【図１２】
2017098821.tif 000014
【図１３】
2017098821.tif 000015